(57)【特許請求の範囲】
【請求項１】
構造材に固定される所定の面積にわたる基材と、その表面に対して横方向に間隔を置いて縦方向に配置されそれぞれ前記基材に固定された中間部を含む３本以上の縦骨とでユニット基体を構成し、
横方向に延在する外装パネルを、対応する横方向に離間した縦骨間に跨がらせ、かつ縦方向に隣接して、前記縦骨に対して支持部材を介してそれぞれ保持させ、前記ユニット基体全体に対して多数のパネル群を保持させ、
前記ユニット基体の四周囲に枠材を配置し、これら枠材は前記ユニット基体に固定してユニットを構成した、
ことを特徴とするカーテンウォールユニット。
【請求項２】
前記各枠材は前記縦骨に固定した請求項１記載のカーテンウォールユニット。
【請求項３】
前記枠材のうち縦枠材に、前記縦骨の側部及びパネルの長手方向端部が嵌入する凹部を形成した請求項１記載のカーテンウォールユニット。
【請求項４】
少なくとも一方の縦枠材の上下に、横方向の上下短ピースを一体化したものが、前記縦骨の側部に、前記縦枠材の前記凹部を外から被せた状態で、前記枠材の上枠材及び下枠材の長手方向端に対して接近させ、前記上短ピースと前記上枠材とに跨って上方からスリーブで覆って固定してある請求項３記載のカーテンウォールユニット。
【請求項５】
前記基材はコンクリートパネルであり、前記縦骨はアンカーによりその先端を埋設して固定してある請求項１記載のカーテンウォールユニット。
【請求項６】
前記縦骨の高さ方向に間隔を置いて前記支持部材としての多数の係止金具を固定し、前記パネルの裏面に形成した係止凹部を前記係止金具に係止し、前記パネル群を前記縦骨に対して係止金具を介して保持させてある請求項１記載のカーテンウォールユニット。
【請求項７】
前記縦骨の外面側にパネル支持用緩衝材を取り付け、このパネル支持用緩衝材が各前記パネルの裏面に当接する関係にある請求項１記載のカーテンウォールユニット。
【請求項８】
前記縦骨は、横方向両側部に室外側に突出する支持部を有し、これら支持部の室外側に前記パネル支持用緩衝材がそれぞれ設けられ、各パネル支持用緩衝材が各前記パネルの裏面に当接する関係にある請求項７記載のカーテンウォールユニット。
【請求項９】
前記縦骨は、横方向両側部に室外側に突出する支持部を有し、これら支持部の室外側に前記パネル支持用緩衝材がそれぞれ設けられ、
前記縦骨の前記支持間において高さ方向に間隔を置いて前記支持部材としての多数の係止金具を固定し、前記パネルの裏面に形成した係止凹部を前記係止金具に係止し、前記パネル群を前記縦骨に対して係止金具を介して保持させてあり、
この保持状態において、各前記パネル支持用緩衝材が各前記パネルの裏面に当接する関係にある請求項１記載のカーテンウォールユニット。
【請求項１０】
ある高さ位置の前記パネルは縦目地を介して横方向に複数隣接配置され、かつこの隣接配置形態が上下に亘り、
前記縦目地部分に少なくとも上下方向に弾性変形可能な両翼部と本体部とを有する目地支持ピースを設け、前記本体部を前記縦目地の前記パネルの隣接間隙内に、前記翼部を隣接上側パネルと隣接下側パネルとの間隙にそれぞれ介在させた請求項１記載のカーテンウォールユニット。
【請求項１１】
前記目地支持ピースの本体部に成形された縦目地シール材を取り付ける請求項１０記載のカーテンウォールユニット。
【請求項１２】
縦目地シール材は目地の高さ方向に延びる長尺の成形材であり、目地支持ピース群の各本体部と嵌合して取り付けられている請求項１１記載のカーテンウォールユニット。
【請求項１３】
次記の工程を順次有することを特徴とするカーテンウォールユニットの取付け工法。
構造材に固定される所定の面積にわたる基材に、その表面に対して横方向に間隔を置いて縦方向に中間部を含む３本以上の縦骨を配置し、各縦骨を前記基材に固定してユニット基体を構成する工程、
前記ユニット基体の四周囲に枠材を配置し、これら枠材は前記ユニット基体に固定する工程、
横方向に延在する外装パネルを、対応する横方向に離間した縦骨間に跨がらせ、かつ縦方向に隣接して、前記縦骨に対して支持部材を介してそれぞれ保持させ、前記ユニット基体全体に対して多数のパネル群を保持させる工程。
【請求項１４】
前記各枠材は前記縦骨に固定する請求項１３記載のカーテンウォールユニットの取付け工法。
【請求項１５】
次記の工程を順次有することを特徴とする外壁表面の化粧方法。
構造材に固定される所定の面積にわたる既存外壁を基材として、その表面に対して横方向に間隔を置いて縦方向に中間部を含む３本以上の縦骨を配置し、各縦骨を前記基材に固定して下地を構成する工程、
前記下地の四周囲に枠材を配置し、これら枠材は前記ユニット基体に固定する工程、
横方向に延在する外装パネルを、対応する横方向に離間した縦骨間に跨がらせ、かつ縦方向に隣接して、前記縦骨に対して支持部材を介してそれぞれ保持させ、前記下地全体に対して多数のパネル群を保持させる工程。
【請求項１６】
前記各枠材は前記縦骨に固定する請求項１５記載の外壁表面の化粧方法。
【発明の詳細な説明】
【技術分野】
【０００１】
本発明は、カーテンウォールユニット、カーテンウォールユニットの取付け工法及び外壁表面の化粧方法に関する。
【背景技術】
【０００２】
カーテンウォール外壁の構築に際し、外装パネルを採用する場合、大型化特に長尺のパネルの要望がある。パネルの大型化に伴って、耐震性を考慮しなければならず、かつ施工性が低下することを防止する必要がある。
このためには、ユニット化の手段がある。特許文献１には、下地フレームに複数枚のコンクリート系パネルを取着してカーテンウォールユニットを形成し、このカーテンウォールユニットを下地フレーム部分において建物構造体に取付けるものである。
しかし、前記コンクリート系パネルは縦方向に配置したもので、本発明のように横方向に配置するものではない。また、コンクリート系パネルは、これに埋設したボルトにより剛構造で下地フレームに固定するものであるから、耐震性に難があると考えられる。
【特許文献１】特開平２００３−６４８１５号公報
【発明の開示】
【発明が解決しようとする課題】
【０００３】
したがって、本発明の主たる課題は、耐震性に優れ、しかも施工性に優れるカーテンウォールユニット、カーテンウォールユニットの取付け工法及び外壁表面の化粧方法を提供することにある。
【課題を解決するための手段】
【０００４】
上記課題を解決した本発明は下記のとおりである。
＜請求項１項記載の発明＞
構造材に固定される所定の面積にわたる基材と、その表面に対して横方向に間隔を置いて縦方向に配置されそれぞれ前記基材に固定された中間部を含む３本以上の縦骨とでユニット基体を構成し、
横方向に延在する外装パネルを、対応する横方向に離間した縦骨間に跨がらせ、かつ縦方向に隣接して、前記縦骨に対して支持部材を介してそれぞれ保持させ、前記ユニット基体全体に対して多数のパネル群を保持させ、
前記ユニット基体の四周囲に枠材を配置し、これら枠材は前記ユニット基体に固定してユニットを構成した、
ことを特徴とするカーテンウォールユニット。
【０００５】
（作用効果）
本発明では、横方向に離間した縦骨間に横方向に延在する対応する外装パネルを跨がらせ、かつ縦方向に隣接して、前記縦骨に対して支持部材を介してそれぞれ保持させてある。これにより、前記ユニット基体全体に対して多数のパネル群を保持させることができる。ここに、縦骨は、構造材に固定される基材に対して固定しているので、強度的に安定した部材となる。よって、前記パネルは強度的に安定した縦骨間に跨がらせてあるので、パネルの支持構造として強度的に安定したものとなる。
これに対し、四周囲に枠材は、パネルの端部を保持する程度のもので足りるから、強度的に高いものは不要であり、たとえばアルミニウム合金型材で足りるようになる。
【０００６】
＜請求項２項記載の発明＞
前記各枠材は前記縦骨に固定した請求項１記載のカーテンウォールユニット。
【０００７】
（作用効果）
各枠材は縦骨に固定し、必要ならば基材には固定しなくとも、安定したユニットを構成できる。
【０００８】
＜請求項３項記載の発明＞
前記枠材のうち縦枠材に、前記縦骨の側部及びパネルの長手方向端部が嵌入する凹部を形成した請求項１記載のカーテンウォールユニット。
【０００９】
（作用効果）
枠材として、高い強度のものは不要となり、したがって、アルミニウム合金型材を採用できる。その結果、凹部の形成を容易にできる。かかる縦枠材の凹部に対して縦骨の側部を嵌入させる構造とすると、縦枠材が安定したものとなる。
しかも、安定した縦枠材の凹部にパネルの長手方向端部を嵌入させることで、パネルの横方向のずれを防止できる。
この場合、後記実施の形態では、縦骨側部の嵌入用凹部とパネル長手方向端部の嵌入用凹部とを別に形成すると、パネルの室内側への移動を凹部の室内側片で支えることが可能であり、室内外方向の移動を規制でき、より安定したものとなるが、必要ならば共通の凹部であってもよい。
【００１０】
＜請求項４項記載の発明＞
少なくとも一方の縦枠材の上下に、横方向の上下短ピースを一体化したものが、前記縦骨の側部に、前記縦枠材の前記凹部を外から被せた状態で、前記枠材の上枠材及び下枠材の長手方向端に対して接近させ、前記上短ピースと前記上枠材とに跨って上方からスリーブで覆って固定してある請求項３記載のカーテンウォールユニット。
【００１１】
（作用効果）
たとえば、ガラスサッシの場合においては、枠材の端部を４５度にトメ切りし、コーナー部材を介して枠組みするのが通常である。しかし、外装パネルの場合には、寸法安定性などの点、あるいは地震時のパネル移動などを考慮すると、剛構造で支持するのは好適ではない。そこで、本請求項記載の発明に従う構造とすると、パネルが横方向に長尺であるとしても、その横方向の移動量やパネル長に対応して調整するように枠組できる。しかも、基材がたとえばコンクリートパネルとする場合、パネル群の間から室内側への雨水の侵入を考慮する必要はないから、上短ピースと上枠材とに跨って上方からスリーブで覆って固定するのみでよく、施工が容易である。
【００１２】
＜請求項５項記載の発明＞
前記基材はコンクリートパネルであり、前記縦骨はアンカーによりその先端を埋設して固定してある請求項１記載のカーテンウォールユニット。
【００１３】
（作用効果）
本発明において、基材としては、ほぼユニット大きさに対応する面積の部材であればよく、その部材の種類を限定されるものではなく、各種の面材、組合せ部材、ＰＣコンクリート版などを使用できるが、大面積（たとえば横１ｍ以上、縦２０ｃｍ以上とする）場合には、パネルがたとえば窯業系のもので重量的に重いことも相俟って、強度の高いコンクリートパネルとするのが望ましい。かかる高強度のコンクリートパネルであれば、縦骨群の固定が安定し、しかもアンカーを使用してその先端をコンクリートパネルに埋設して固定することで縦骨の強固な固定が可能となる。
【００１４】
＜請求項６項記載の発明＞
前記縦骨の高さ方向に間隔を置いて前記支持部材としての多数の係止金具を固定し、前記パネルの裏面に形成した係止凹部を前記係止金具に係止し、前記パネル群を前記縦骨に対して係止金具を介して保持させてある請求項１または５記載のカーテンウォールユニット。
【００１５】
（作用効果）
縦骨に、その高さ方向に間隔を置いて前記支持部材としての多数の係止金具を固定し、前記パネルの裏面に形成した係止凹部を前記係止金具に係止することにより、多数のパネル群を前記縦骨に対して係止金具を介して保持させる施工が簡易となる。
【００１６】
＜請求項７項記載の発明＞
前記縦骨の外面側にパネル支持用緩衝材を取り付け、このパネル支持用緩衝材が各前記パネルの裏面に当接する関係にある請求項１または６記載のカーテンウォールユニット。
【００１７】
（作用効果）
縦骨の外面側にパネル支持用緩衝材を取り付け、このパネル支持用緩衝材が各前記パネルの裏面に当接する関係にあると、パネルが地震時などにおいて振動した場合において、緩衝材による緩衝効果を発揮した耐震性の高いものとなる。
また、請求項６に記載のように、係止金具によりパネルを保持する際に、緩衝材の弾圧に抗して押し当てるように係止すると、パネルの室内外方向のガタツキを防止できる利点も生じる。さらに、この場合にはパネルの緩衝材が接するので横方向の移動についても緩衝効果を示す。
【００１８】
＜請求項８項記載の発明＞
前記縦骨は、横方向両側部に室外側に突出する支持部を有し、これら支持部の室外側に前記パネル支持用緩衝材がそれぞれ設けられ、各パネル支持用緩衝材が各前記パネルの裏面に当接する関係にある請求項７記載のカーテンウォールユニット。
【００１９】
（作用効果）
横方向両側部に室外側に突出する支持部を有し、これら支持部の室外側に前記パネル支持用緩衝材がそれぞれ設けられ、各パネル支持用緩衝材が各前記パネルの裏面に当接する関係にあると、パネルの端部を２つのパネル支持用緩衝材が対向するので、安定した緩衝効果を発揮する。
他方、支持部間に請求項６での係止金具を固定することができるので、係止金具の固定スペースの点でも有利である。
【００２０】
＜請求項９項記載の発明＞
前記縦骨は、横方向両側部に室外側に突出する支持部を有し、これら支持部の室外側に前記パネル支持用緩衝材がそれぞれ設けられ、
前記縦骨の前記支持間において高さ方向に間隔を置いて前記支持部材としての多数の係止金具を固定し、前記パネルの裏面に形成した係止凹部を前記係止金具に係止し、前記パネル群を前記縦骨に対して係止金具を介して保持させてあり、
この保持状態において、各前記パネル支持用緩衝材が各前記パネルの裏面に当接する関係にある請求項１記載のカーテンウォールユニット。
【００２１】
（作用効果）
請求項８記載と同様な作用効果を奏する。
【００２２】
＜請求項１０項記載の発明＞
ある高さ位置の前記パネルは縦目地を介して横方向に複数隣接配置され、かつこの隣接配置形態が上下に亘り、
前記縦目地部分に少なくとも上下方向に弾性変形可能な両翼部と本体部とを有する目地支持ピースを設け、前記本体部を前記縦目地の前記パネルの隣接間隙内に、前記翼部を隣接上側パネルと隣接下側パネルとの間隙にそれぞれ介在させた請求項１記載のカーテンウォールユニット。
【００２３】
（作用効果）
ユニットを大きいものとし、これに対応した長さの長尺のパネルを取り付けることも不可能ではないが、パネルの取り付けの負担が過度に大きなものとなり施工性を損なう。そこで、パネルは横方向に複数のパネルを複数隣接配置するのが望ましい。
この場合、上側パネル端部と下側パネル端部との間に緩衝効果のある部材を設けるのが耐震性を高める点で望ましい。しかし、その緩衝用部材を設ける場合にずれが生じる。
そこで本請求項の構成に従って、両翼部と本体部とを有する目地支持ピースを設け、前記本体部を前記縦目地の前記パネルの隣接間隙内に、前記翼部を隣接上側パネルと隣接下側パネルとの間隙にそれぞれ介在させると、本体部が縦目地のパネルの隣接間隙内にあるから、目地支持ピースの横方向の移動を防止できる。また、少なくとも上下方向に弾性変形可能な両翼部がそれぞれ隣接する両上下間隙に介在させるから、それぞれの上側パネル端部と下側パネル端部との間隙に緩衝効果をもたらすことができる。
【００２４】
＜請求項１１項記載の発明＞
前記目地支持ピースの本体部に成形された縦目地シール材を取り付ける請求項１０記載のカーテンウォールユニット。
【００２５】
（作用効果）
複数隣接配置に伴う縦目地は、不定形シール材の配置も可能であるが、耐久性に難がある。また、パネルの横方向の移動を緩衝する効果は小さい。そこで、縦目地には成形シール材を使用するのが耐久性の点で望ましい。
請求項１０に記載のように、目地支持ピースに本体部を縦目地のパネルの隣接間隙内に位置させるので、その本体部を利用して、成形された縦目地シール材を取り付けることができる。付言すれば、単に、外装パネル間に嵌入した目地支持ピース、及び縦目地シールは、地震等の揺れ、あるいは長期間使用によりが抜け出しやすい。本発明では、目地支持ピースに目地支持シール材を取り付けて連結することにより、目地支持ピース自体及び縦目地シールのズレ、抜け出しなどを防止でき、取付け安定性が高まる。
【００２６】
＜請求項１２項記載の発明＞
縦目地シール材は目地の高さ方向に延びる長尺の成形材であり、目地支持ピース群の各本体部と嵌合して取り付けられている請求項１１記載のカーテンウォールユニット。
【００２７】
（作用効果）
好適には後記実施の形態により明らかなように、縦目地シール材の通しの溝に本体部を嵌合させるようにすると、通しの縦目地シール材を高さ方向に連続して取り付けることができる。
【００２８】
＜請求項１３項記載の発明＞
次記の工程を順次有することを特徴とするカーテンウォールユニットの取付け工法。
構造材に固定される所定の面積にわたる基材に、その表面に対して横方向に間隔を置いて縦方向に中間部を含む３本以上の縦骨を配置し、各縦骨を前記基材に固定してユニット基体を構成する工程、
前記ユニット基体の四周囲に枠材を配置し、これら枠材は前記ユニット基体に固定する工程、
横方向に延在する外装パネルを、対応する横方向に離間した縦骨間に跨がらせ、かつ縦方向に隣接して、前記縦骨に対して支持部材を介してそれぞれ保持させ、前記ユニット基体全体に対して多数のパネル群を保持させる工程。
【００２９】
（作用効果）
本取付け工法が、施工効率が高いものとなることは請求項１の作用効果で説明したとおりである。
【００３０】
＜請求項１４項記載の発明＞
前記各枠材は前記縦骨に固定する請求項１３記載のカーテンウォールユニットの取付け工法。
【００３１】
＜請求項１５項記載の発明＞
次記の工程を順次有することを特徴とする外壁表面の化粧方法。
構造材に固定される所定の面積にわたる既存外壁を基材として、その表面に対して横方向に間隔を置いて縦方向に中間部を含む３本以上の縦骨を配置し、各縦骨を前記基材に固定して下地を構成する工程、
前記下地の四周囲に枠材を配置し、これら枠材は前記ユニット基体に固定する工程、
横方向に延在する外装パネルを、対応する横方向に離間した縦骨間に跨がらせ、かつ縦方向に隣接して、前記縦骨に対して支持部材を介してそれぞれ保持させ、前記下地全体に対して多数のパネル群を保持させる工程。
【００３２】
（作用効果）
既存の外壁に対して、改装工法として本発明を利用することができる。この場合、既存外壁をそのまま基材とするほか、たとえば外壁に不陸がある場合などにおいて、適宜の下地材を介在させて基材とすることができる。両者の形態を含むものである。
【００３３】
＜請求項１６項記載の発明＞
前記各枠材は前記縦骨に固定する請求項１５記載の外壁表面の化粧方法。
【発明の効果】
【００３４】
以上要すれば、本発明によれば、耐震性に優れ、しかも施工性に優れるものとなる。
【発明を実施するための最良の形態】
【００３５】
以下、図面を参照しながら、本発明を実施するための最良の形態を示してさらに説明する。
構造的にやや複雑であるために、まず、全体の概要を説明し、その後に適宜詳細説明に移ることとする。
＜全体構成＞
図１〜図３は本発明のカーテンウォールユニット１単体の全体を示したものである。ユニット１は、構造材（躯体、あるいはこれに取付けの方立や無目など。図示せず。）に固定される所定の面積にわたる基材２（図示例ではＰＣコンクリートパネルを図示してある。）と、その表面に対して横方向に間隔を置いて縦方向に配置され、それぞれ基材２に固定された３本以上の縦骨３、３…とでユニット基体１０を構成してある。
ユニット基体１０の四周囲に枠材２１、２２、２３、２４を配置し、これら枠材２１、２２、２３、２４は、ユニット基体１０に、図示の形態では左右の縦骨３、３及び縦骨３、３…群の上下端部に固定してある。
ユニット基体１０には、横方向に延在するたとえば窯業系の外装パネル３０（無機焼成パネル）が配置され、図示の形態では図１が参照されるように、横方向に４個、縦方向に１４個のパネルが配置されている。これらのパネル３０は、対応する縦骨３、３間に跨がらせ、かつ縦方向に隣接して、各縦骨３に対して支持部材４（図１〜図３では詳細形状が判明していない）を介してそれぞれ保持させ、ユニット基体１０全体に対して多数のパネル群を保持させてある。
【００３６】
＜細部の構造＞
図１が参照されるように、本発明は、パネル３０を対応する縦骨３、３間に跨がらせる際に、中間縦骨３Ａを有する形態を排除するものではない。以下では、中間縦骨３Ａについてもパネル端部縦骨３と同様の構成であるから、パネル端部縦骨３の構成を主に説明する。
また、各縦骨３、３…は、基材２がコンクリートパネルとしてある関係で、それぞれ各縦骨３、３…に形成した挿通孔に固定ボルト５挿通して、その先端を予めコンクリートパネル２に埋設したアンカー６に打ち込んで固定してある。図４以降に図示された符号７は耐火材である。なお、構造の明りょう化のために、耐火材７の図示を一部省略してある。
各枠材２１、２２、２３、２４の対応する縦骨３、３…への固定について説明すると、図４、図５、図７〜図９を参照して判るように、上枠２１、下枠２２、左枠２３及び右枠２４は、その中間の裏面側突出片２１Ａ、２２Ａ、２３Ａ及び２４Ａをそれぞれ、縦骨３の裏面に当接し、ビス２５止めして行うようにしてある。
上枠２１には、外面側突出片２１Ｂが突出しており、裏面側突出片２１Ａとの間で、縦骨３の上端部を呑み込むようにしてある。左枠２３及び右枠２４には、若干形状が異なるが、外面側突出片２３Ｂ及び２４Ｂがそれぞれ突出しており、裏面側突出片２３Ａ、２４Ａとの間で、縦骨３、３の側部をそれぞれ呑み込むようにしてある（逆に言えば、縦骨３の側部は突出片相互によって形成される凹部に嵌入している。）。下枠２２は縦骨３の下端部を呑み込んでいない。
さらに、上枠２１の室外側には、タイト材係止凹部２１Ｃが形成され、これに上タイト材２１Ｄが係止され、その舌片が最上段パネル３０の上面に当接し、雨水の侵入を防止するようにしてある。下枠２２の室外側には、タイト材係止凹部２２Ｃが形成され、これに下タイト材２２Ｄが係止され、その舌片が最下段パネル３０の下面に当接し、雨水の侵入を防止するようにしてある。左枠２３及び右枠２４の室外側には、フック状の係合凹部２３Ｃ及び２４Ｃが形成され、端塞ぎ用のゴムなどの弾性板２３Ｄ、２４Ｄを収容した状態で、パネル３０の長手方向端部をそれぞれ呑み込んで、パネル３０の安定化が図られている。その際、係合凹部２３Ｃ及び２４Ｃの室外側の鉤部はパネル３０の外面に臨む寸法関係とされている。
【００３７】
次に、他の図面をも参照しながら、各パネル３０を、縦骨３（３Ａ）に対して支持部材（係止金具）４を介してそれぞれ保持する形態について説明する。
支持部材４（係止金具）は金属製などの強度の高いもので、図１９に全体形状が図示されている。すなわち、下部固定部４１及び上部固定部４２を有し、下部固定部４１からはＪ字状の下部保持部４３が室外側に突出し、下部固定部４１と上部固定部４２との間には、Ｊ字状の上部保持部４４が室外側に突出している。
縦骨３（３Ａ）のパネル３０の固定側には、図１３及び図１４に簡明に図示されているように、縦骨３の外面側にパネル支持用緩衝材４５、４５が取付けられている。図示の形態では、縦骨３は、横方向両側部に室外側に突出する支持部３Ｂ、３Ｂを有し、これら支持部３Ｂ、３Ｂにはその取付凹溝に取付けられたパネル支持用緩衝材４５、４５がそれぞれ通しで設けられ、各パネル支持用緩衝材４５、４５が、後述するように支持部材４によりパネル３０を支持したとき、その裏面に当接する関係にある。支持部３Ｂ、３Ｂ間には、支持部材４、４…が高さ方向に間隔を置いて多数配置され、それぞれの下部固定部４１及び上部固定部４２が、ビス４６、４６…（他の図面参照）により縦骨３に固定されている。
【００３８】
さて、主に図８を参照すると判るように、パネル３０の裏面側には、下部に下係止凹部３１が、上部に上係止凹部３２がそれぞれ形成されている。パネル３０の下係止凹部３１は、支持部材４のＪ字状の上部保持部４４により係止・保持され、上係止凹部３２は上側の支持部材４の下部保持部４３に係止・保持されている。かかる係止・保持状態において、パネル３０の裏面がパネル支持用緩衝材４５、４５に当接するあるいは若干押圧状態で当接するようになっている。
横方向に配置のパネル３０は、基材２（図示例ではＰＣコンクリートパネル）に対して短いので、縦目地Ｓが形成される。実施の形態では、横方向に４つのパネルが隣接配置されているので、３つの縦目地Ｓ、Ｓ、Ｓが形成される。
【００３９】
縦目地Ｓ部分に、図１７及び図１８に示すように、少なくとも上下方向に弾性変形可能な両翼部５２、５２と本体部５１とを有する目地支持ピース５０が配置されている。目地支持ピース５０は、これを保持するために両翼部を有するが、この両翼部は板状でよいが、緩衝力を高めるために、実施の形態ではゴム製で、弾圧・緩衝力を高めるために、両翼部５２、５２の上下に間隙が形成されている。目地支持ピース５０全体を金属製とすることも可能である。        
【００４０】
かかる目地支持ピース５０の本体部５１は縦目地Ｓのパネル３０、３０の隣接間隙内に、翼部５２、５２は隣接上側パネルと隣接下側パネルとの間隙にそれぞれ介在される。また、中間縦骨３Ａ部分においては、図１５に形状を示す介在ピース５５が介在されている。介在ピース５５は、弾性あるいは可撓性の材料からなり、実施の形態では金属製であり、ばね変形力を高めるために、中間部がアーチ状に膨出する形状をなしている。
【００４１】
これら、目地支持ピース５０の翼部５２及び介在ピース５５の高さ方向位置は、具体的には、図８が参照されるように、支持部材４の上部保持部４４下面とパネル３０の下面との間である。これにより、目地支持ピース５０の翼部５２、５２の弾性復元力、並びに介在ピース５５の弾圧復元力によりパネル３０の上面を押圧する結果、パネル３０の裏面側の下方に突出する部分が、Ｊ字状の下部保持部４３及びＪ字状の上部保持部４４に安定的に食い込むので、パネル３０の保持が安定し、かつ、地震時においても、振動を介在ピース５５及び目地支持ピース５０の翼部５２、５２が吸収しつつパネル３０を保持するから、耐震性に優れたものとなる。
【００４２】
他方、図１６が参照されるように、縦目地Ｓには、ゴムなどの成形された長尺の縦目地シール材５６が設けられている。この縦目地シール材５６は、室内側に凹溝が形成され、目地支持ピース５０の取付保持部５３に嵌合されることで取り付けが行われている。その結果、縦目地シール材５６は、縦目地Ｓにおいて安定して保持される。
【００４３】
一方、左右縦枠２３、２４が縦骨３に固定されることについては前述したとおりである。図１０〜図１２によって、代表的に左枠２３について説明すると、左枠２３の上下に、予め横方向の上下短ピース２６、２７（図１０〜図１２では上短ピース２６のみが図示され、下短ピース２７は図５に図示されている）を、たとえば縦骨３と４５度突合せ部に溶接により一体化したものを、縦骨３の側部に、左枠２３の先に説明した凹部を外から被せた状態で、上枠材２１及び下枠材２２の長手方向端に対して接近させ、上短ピース２６と上枠材２１とに跨って上方からスリーブ２８で覆って、たとえばビス２９固定して、繋ぎ間隙を覆おうことができる。下短ピース２７についてはスリーブが設けられていない。
【００４４】
かかるユニット１は、図４、図５、図７が参照されるように、上下及び左右に隣接配置される。各ユニット１、１…は、構造材（躯体、あるいはこれに取付けの方立や無目など）に固定される。隣接間隙には、タイト材６１、６２、６４及びシール材６３が設けられる。
【００４５】
＜カーテンウォールユニットの取付け工法＞
カーテンウォールユニットの取付けに際しては、次記の工程で順次取り付けることができる。
（１）構造材に固定される所定の面積にわたる基材２に、その表面に対して横方向に間隔を置いて縦方向に中間部を含む３本以上の縦骨３、３Ａを配置し、各縦骨３、３Ａを前記基材２に固定してユニット基体１０を構成する工程。
（２）前記ユニット基体１０の四周囲に枠材２１〜２４を配置し、これら枠材２１〜２４を前記ユニット基体１０に固定する工程。
（３）横方向に延在する窯業系パネル３０、３０…を、対応する横方向に離間した縦骨間３、３に跨がらせ、かつ縦方向に隣接して、前記縦骨３、３Ａに対して支持部材４、４…を介してそれぞれ保持させ、前記ユニット基体１０全体に対して多数のパネル群３０、３０…を保持させる工程。
【００４６】
＜外壁表面の化粧方法＞
種類を基本的に問われないたとえば既存ＰＣコンクリートパネル表面の化粧に際しては、次記の工程で順次化粧することができる。
（４）構造材に固定される所定の面積にわたる既存外壁を基材２として、その表面に対して横方向に間隔を置いて縦方向に中間部を含む３本以上の縦骨３、３Ａを配置し、各縦骨３、３Ａを前記基材２に固定して下地を構成する工程。
（５）前記下地の四周囲に枠材２１〜２４を配置し、これら枠材２１〜２４を前記ユニット基体１０に固定する工程。
（６）横方向に延在する窯業系パネル３０、３０…を、対応する横方向に離間した縦骨間３、３に跨がらせ、かつ縦方向に隣接して、前記縦骨３、３Ａに対して支持部材４、４…を介してそれぞれ保持させ、前記下地全体に対して多数のパネル群３０、３０…を保持させる工程。
【００４７】
＜その他＞
本発明の技術思想の下で、他の変形例は適宜選択できる。
【図面の簡単な説明】
【００４８】
【図１】ユニットの全体正面図である。
【図２】ユニットの水平断面図である。
【図３】ユニットの縦断面図である。
【図４】要部水平断面図である。
【図５】図４の拡大水平断面図である。
【図６】図４の他の部位の拡大水平断面図である。
【図７】要部縦断面図である。
【図８】図７の上枠側ユニットの拡大縦断面図である。
【図９】図７の下枠側ユニットの拡大縦断面図である。
【図１０】上枠と左枠の連結部の正面図である。
【図１１】１１−１１線矢視図である。
【図１２】図１０の平面図である。
【図１３】縦骨とパネルとの関係を示す斜視図である。
【図１４】縦骨の斜視図である。
【図１５】介在ピースの斜視図である。
【図１６】縦目地部分の詳細を示す平断面図である。
【図１７】目地支持ピースの斜視図である。
【図１８】目地支持ピースの視点を換えた斜視図である。
【図１９】支持部材の斜視図である。
【符号の説明】
【００４９】
１…カーテンウォールユニット、２…基材（ＰＣコンクリートパネル）、３…縦骨、３Ａ…中間縦骨、４…支持部材、５…固定ボルト、２１…上枠材、２２…下枠材、２３…左枠材（縦枠材）、２４…右枠材（縦枠材）、２５…ビス、２１Ａ、２２Ａ、２３Ａ、２４Ａ…裏面側突出片、２３Ｂ、２４Ｂ…外面側突出片、２１Ｃ、２２Ｃ…タイト材係止凹部、２３Ｃ、２４Ｃ…係合凹部、２１Ｄ、２２Ｄ…タイト材、２３Ｄ、２４Ｄ…弾性板、２６…上短ピース、２７…下短ピース、２８…スリーブ、３０…パネル、３１…下係止凹部、３２…上係止凹部、４１…下部固定部、４２…上部固定部、４３…下部保持部、４４…部保持部、４５…パネル支持用緩衝材、４６…ビス、５０…目地支持ピース、５１…本体部、５２…翼部、５３…取付保持部、５５…介在ピース、５６…縦目地シール材、６１、６２、６４…タイト材、６３…シール材、Ｓ…縦目地。
【図１】
0004426511.tif 000002
【図２】
0004426511.tif 000003
【図３】
0004426511.tif 000004
【図４】
0004426511.tif 000005
【図５】
0004426511.tif 000006
【図６】
0004426511.tif 000007
【図７】
0004426511.tif 000008
【図８】
0004426511.tif 000009
【図９】
0004426511.tif 000010
【図１０】
0004426511.tif 000011
【図１１】
0004426511.tif 000012
【図１２】
0004426511.tif 000013
【図１３】
0004426511.tif 000014
【図１４】
0004426511.tif 000015
【図１５】
0004426511.tif 000016
【図１６】
0004426511.tif 000017
【図１７】
0004426511.tif 000018
【図１８】
0004426511.tif 000019
【図１９】
0004426511.tif 000020